(57)【要約】      （修正有）【課題】プリペイドカード、キャッシュカード、ポイントカード、ＩＤカード、メンバーカード、診察券などとして用いられるＩＣカードや磁気カードに対して、所定の意匠性を付与するデザインシートを提供する。【解決手段】パソコン上において、画像編集ソフトを用いて画像編集を行ない、編集された画像をインクジェットプリンタによって印字し、複数のデザインシートを一度に連続して印刷製作し、このような印刷シートを分割位置で分割してデザインシート１６とし、このデザインシート１６の台紙を剥離した後に接着剤層を介してＩＣカード３０の表面に接合し、外周囲をトリミングする。【選択図】図５
0003177692.tif 000002
【実用新案登録請求の範囲】
【請求項１】
表面に所定の図柄または模様を印刷して形成した印刷シートと、
前記印刷シートの裏面に形成された接着剤層と、
前記接着剤層を介して前記印刷シートの裏面に接合された台紙と、
前記印刷シートの表面に接着剤層を介して接合された透明な保護フィルムと、
を具備し、前記台紙を剥離して前記印刷シートの裏面に形成された接着剤層を介してカード類の表面に接合されて該カード類に対して所定の意匠性を付与するデザインシート。
【請求項２】
前記カード類がＩＣカードまたは磁気カードである請求項１に記載のデザインシート。
【請求項３】
前記カード類がプリペイドカード、クレジットカード、キャッシュカード、ポイントカード、ＩＤカード、メンバーカード、診察券として用いられるカードである請求項２に記載のデザインシート。
【請求項４】
前記印刷シートが表面に薄膜の担持層が形成された高分子シートであって、該担持層の表面に印刷が施されている請求項１に記載のデザインシート。
【請求項５】
複数のデザインシートが一度に連続して製作され、分割して使用するようにした請求項１に記載のデザインシート。
【請求項６】
コンピュータと接続されたプリンタによって複数のデザインシートが一度に製作される請求項５に記載のデザインシート。
【請求項７】
分割されたそれぞれのデザインシートが前記カード類よりもひとまわり大きく形成され、周囲をトリミングして前記カード類の大きさに合わせる請求項５に記載のデザインシート。
【考案の詳細な説明】
【技術分野】
【０００１】
本考案はデザインシートに係り、とくにカード類の表面に貼合わされて該カード類に対して意匠性を付与するデザインシートに関する。
【背景技術】
【０００２】
例えば特開２００５−３３９３０４号公報に開示されているように、電車等の乗物の運賃の決済のためにＩＣカードが用いられており、改札口に設けられたリーダ／ライタに対してＩＣカードを近接させ、ＩＣカードとリーダ／ライタのアンテナとの間で無線での信号の授受を行なうことによって、運賃の決済を行なうようにしている。
【０００３】
また特開２０１１−６０２６６号公報に開示されているように、路線バスにおいても、プリペイドカード式のＩＣカードを用いて運賃の精算システムを構成するようにしている。
【０００４】
このようなプリペイドカードあるいはＩＣカードは、予め所定のデザインで製作されており、同一種類のプリペイドカードについては、同一のデザインが施されている。従ってこの種のプリペイドカードは、意匠的に個性がなく、またデザイン性に劣るプリペイドカードであっても、そのまま使用しなければならないという問題がある。
【先行技術文献】
【特許文献】
【０００５】
【特許文献１】特開２００５−３３９３０４号公報
【特許文献２】特開２０１１−６０２６６号公報
【考案の概要】
【考案が解決しようとする課題】
【０００６】
本願考案の課題は、所定のフォーマットに則って製作され、所定の機能を有するカード類において、とくにその意匠性を改善することである。
【０００７】
本願考案の別の課題は、カード類に対して、一枚一枚別々のデザインを施すことができるようにしたデザインシートを提供することである。
【０００８】
本願考案のさらに別の課題は、カード類それ自身が有する機能を損なうことなく、しかもカード類の意匠性を高めるようにしたデザインシートを提供することである。
【０００９】
本願考案の上記の課題および別の課題は、以下に述べる本願考案の技術的思想、およびその実施の形態によって明らかにされる。
【課題を解決するための手段】
【００１０】
本願の主要な考案は、
表面に所定の図柄または模様を印刷して形成した印刷シートと、
前記印刷シートの裏面に形成された接着剤層と、
前記接着剤層を介して前記印刷シートの裏面に接合された台紙と、
前記印刷シートの表面に接着剤層を介して接合された透明な保護フィルムと、
を具備し、前記台紙を剥離して前記印刷シートの裏面に形成された接着剤層を介してカード類の表面に接合されて該カード類に対して所定の意匠性を付与するデザインシートに関するものである。
【００１１】
ここで、前記カード類がＩＣカードまたは磁気カードであってよい。また前記カード類がプリペイドカード、クレジットカード、キャッシュカード、ポイントカード、ＩＤカード、メンバーカード、診察券として用いられるカードであってよい。また前記印刷シートが表面に薄膜の担持層が形成された高分子シートであって、該担持層の表面に印刷が施されていてよい。また複数のデザインシートが一度に連続して製作され、分割して使用するようにしてよい。またコンピュータと接続されたプリンタによって複数のデザインシートが一度に製作されてよい。また分割されたそれぞれのデザインシートが前記カード類よりもひとまわり大きく形成され、周囲をトリミングして前記カード類の大きさに合わせるようにしてよい。
【考案の効果】
【００１２】
本願の主要な考案は、表面に所定の図柄または模様を印刷して形成した印刷シートと、前記印刷シートの裏面に形成された接着剤層と、前記接着剤層を介して前記印刷シートの裏面に接合された台紙と、前記印刷シートの表面に接着剤層を介して接合された透明な保護フィルムと、を具備し、前記台紙を剥離して前記印刷シートの裏面に形成された接着剤層を介してカード類の表面に接合されて該カード類に対して所定の意匠性を付与するようにしたものである。
【００１３】
従ってこのようなデザインシートによると、このデザインシートの台紙を剥離して印刷シートの裏面の接着剤層を介してカード類の表面に貼合わせて接合することができる。従って貼合わされたカード類は、上記印刷シートの表面に形成された図柄または模様によって、意匠性が付与され、特徴あるデザインを有するようになる。カード類に対するデザインシートの接合は、任意の図柄または模様が施されたデザインシートを接合することによって達成されるために、それぞれのカード類に対して個性的なデザイン性を付与することが可能になる。しかもこのデザインシートは、金属を含まず、電波や磁気に対して透明であることから、カード類それ本来の機能が損なわれることがない。
【図面の簡単な説明】
【００１４】
【図１】デザインシートを作成するシステムを示すブロック図である。
【図２】所定の図柄または模様が印刷されたデザインシートの平面図である。
【図３】デザインシート上における印刷と分割の動作を示す断面図である。
【図４】カード類に対するデザインシートの接合の動作を示す縦断面図である。
【図５】同要部分解斜視図である。
【考案を実施するための形態】
【００１５】
以下本願考案を図示の実施の形態によって説明する。図１は本願考案の一実施の形態に係るデザインシートを作成するためのシステムの構成を示している。このシステムは、パソコン１０と、このパソコン１０に接続された液晶表示パネル等のディスプレイ１１と、上記パソコン１０に接続されて出力手段を構成するインクジェットプリンタ１２とから構成される。なおパソコン１０としては、デスクトップタイプのパソコン、ノートパソコン、タブレット型パソコン、携帯情報端末が用いられてよい。
【００１６】
ディスプレイ１１に表示を映出してキーボード１３やマウス１４を操作しながら、パソコン１０によって、デザインシートのデザインの編集を行なう。このデザインの編集は、画像編集ソフトを用いて行なうことになる。そして編集されたデザインシートは、インクジェットプリンタ１２によって、所定の印刷用媒体に印刷されて出力される。
【００１７】
図２は、このようなシステムによって出力されたデザインシート１５を示している。すなわちここでは、分割前のシートであって、例えば横２列に、縦５個、合計２×５＝１０枚のデザインシートが一括して出力されるようになる。
【００１８】
図３は、上記デザインシート１５の製作の方法を示している。図３Ａに示すような印刷シート２０を用意する。この印刷シート２０は、例えば表面に薄膜から成る白色、銀色、金色等の印刷面（担持層）が形成されている高分子フィルムである。好ましくは、ポリプロピレンあるいはポリエステルの薄いシートが用いられる。そしてこの印刷シート２０の下面は、接着剤層２１を介して台紙２２に接合されており、この台紙２２によって、シートとしての形態を維持している。
【００１９】
このような印刷シート２０が、図１に示すインクジェットプリンタ１２に供給され、このインクジェットプリンタ１２によってインク２３により印刷され、図柄あるいは模様が形成される（図３Ｂ参照）。そして図柄あるいは模様を形成した印刷シートの表面には、保護フィルム２５が接合される（図３Ｃ参照）。保護フィルム２５はその下面に接着剤層２４を備えており、この接着剤層２４によって保護フィルム２５が印刷シート２０の印刷が施された表面を覆い、これによって図柄や模様の保護が行なわれる。
【００２０】
このような図柄や模様が形成された印刷シート２０から成るデザインシートは、図２におい点線で示す分割位置２６で分割され、これによって図３Ｄに示すよう複数枚の分割後のデザインシート１６が得られることになる。
【００２１】
このようなデザインシートは、接着剤層２１を介して接合されている台紙２２の部分を剥離した後に、ＩＣカード３０等に図４に示すように接合される。すなわち台紙２２を剥離すると、デザインシート１６の厚みは例えば約０．１５ｍｍの厚さに成り、しかも下面に接着剤層２１を備えている。従ってこの接着剤層２１を介して、図４Ａに示すようにＩＣカード３０の表面に接合する。ここで分割されたデザインシート１６は、上記ＩＣカード３０よりも一回り大きな寸法に分割位置２６（図２参照）のところで分割されるようになっている。従って、ＩＣカード３０の周縁部から外方に延出された余剰の部分を、カッタナイフ等の切断手段によって矢印３１で示すトリミング位置で切断除去され（図４Ａ参照）、これによってＩＣカード３０の上面にデザインシート１６が接合されるようになる（図４Ｂ参照）。図５はこのようなデザインシート１６を接合したＩＣカード３０を分解して示したものである。このようなＩＣカード３０は、その上面に接合されるデザインシート１６によってユニークな意匠性を付与されることになる。なおデザインシート１６の絵柄については、図１に示すパソコン１０で各種の絵柄を選択し、画像編集して製作することができる。従って、キャラクタマーク、漫画の主人公の画像、映画の映像の１カット、人の写真、自分の写真等の各種の画像を印刷シート２０上に形成し、分割してデザインシート１６とすることができる。
【００２２】
従ってこのようなデザインシート１６を接合したＩＣカード３０は、極めて個性的なカードになり、同じ機能をもつＩＣカード３０であっても、他人のＩＣカード３０とは完全に異なった意匠性を付与することができる。またその図柄についても、パソコン１０上で、画像編集ソフトを用いて任意に作成することができるために、極めて軽便である。またこのようなＩＣカードのデザインシート１６は、その厚さが例えば０．１５ｍｍ程度の極めて薄いシートであって、電波や磁気を遮断することもない。従ってこのＩＣカード３０とカードリーダとの間での電波や磁気によるアクセスを妨げることがなく、このためにＣカード３０それ自体の機能をそのまま維持して使用することができる。
【００２３】
以上本願考案を図示の一実施の形態によって説明したが、本願考案は上記実施の形態によって限定されることなく、本願考案の技術的思想の範囲内において各種の変更が可能である。例えば上記実施の形態においてデザインシート１６は、ＩＣカード３０に接合されるようになっている。ここでＩＣカード３０は例えば乗物の運賃の引落しのために用いられるプリペイドカードであるが、本願考案はその他各種のカード、例えばクレジットカード、キャッシュカード、ポイントカード、ＩＤカード、メンバーカード、医療機関の診察券その他のカードであってよく、またカードを機能的に分類した場合におけるＩＣカードあるいは磁気カードのみならず、単に厚紙で作った紙カードに適用することも可能である。
【産業上の利用可能性】
【００２４】
本願考案は、プリペイドカード、クレジットカード、キャッシュカード、ポイントカード、ＩＤカード、メンバーカード、診察券等として用いられるＩＣカードや磁気カードに接合されるデザインシートとして利用可能である。
【符号の説明】
【００２５】
１０  パソコン
１１  ディスプレイ
１２  インクジェットプリンタ
１３  キーボード
１４  マウス
１５  デザインシート（分割前）
１６  デザインシート（分割後）
２０  印刷シート
２１  接着剤層
２２  台紙
２３  インク（図柄、模様）
２４  接着剤層
２５  保護フィルム
２６  分割位置（点線）
３０  ＩＣカード
３１  トリミング位置（矢印）
【図１】
0003177692.tif 000003
【図２】
0003177692.tif 000004
【図３】
0003177692.tif 000005
【図４】
0003177692.tif 000006
【図５】
0003177692.tif 000007
【手続補正書】
【提出日】平成24年6月11日(2012.6.11)
【手続補正１】
【補正対象書類名】明細書
【補正対象項目名】００１１
【補正方法】変更
【補正の内容】
【００１１】
ここで、前記カード類がＩＣカードまたは磁気カードであってよい。また前記カード類がプリペイドカード、クレジットカード、キャッシュカード、ポイントカード、ＩＤカード、メンバーカード、診察券として用いられるカードであってよい。また前記印刷シートが表面に薄膜の担持層が形成された高分子シートであって、該担持層の表面に印刷が施されていてよい。また複数枚のデザインシートと対応する大きさを有しかつ複数のデザインシートが連続して配列された分割前のデザインシートが前記デザインシートの枚数分に分割されてよい。また複数枚のデザインシートと対応する大きさを有しかつ複数のデザインシートが連続して配列された分割前のデザインシートが、コンピュータと接続されたプリンタによって出力されてデザインが施されたデザインシートであってよい。また前記カード類の大きさに合うようにして前記カード類に接合された前記デザインシートが、前記カード類よりもひとまわり大きく形成されかつ前記カード類の大きさに合うように周囲がトリミングされてよい。
【手続補正２】
【補正対象書類名】実用新案登録請求の範囲
【補正対象項目名】全文
【補正方法】変更
【補正の内容】
【実用新案登録請求の範囲】
【請求項１】
表面に所定の図柄または模様を印刷して形成した印刷シートと、
前記印刷シートの裏面に形成された接着剤層と、
前記接着剤層を介して前記印刷シートの裏面に接合された台紙と、
前記印刷シートの表面に接着剤層を介して接合された透明な保護フィルムと、
を具備し、前記台紙を剥離して前記印刷シートの裏面に形成された接着剤層を介してカード類の表面に接合されて該カード類に対して所定の意匠性を付与するデザインシート。
【請求項２】
前記カード類がＩＣカードまたは磁気カードである請求項１に記載のデザインシート。
【請求項３】
前記カード類がプリペイドカード、クレジットカード、キャッシュカード、ポイントカード、ＩＤカード、メンバーカード、診察券として用いられるカードである請求項２に記載のデザインシート。
【請求項４】
前記印刷シートが表面に薄膜の担持層が形成された高分子シートであって、該担持層の表面に印刷が施されている請求項１に記載のデザインシート。
【請求項５】
複数枚のデザインシートと対応する大きさを有しかつ複数のデザインシートが連続して配列された分割前のデザインシートが前記デザインシートの枚数分に分割された請求項１に記載のデザインシート。
【請求項６】
複数枚のデザインシートと対応する大きさを有しかつ複数のデザインシートが連続して配列された分割前のデザインシートが、コンピュータと接続されたプリンタによって出力されてデザインが施されたデザインシートである請求項５に記載のデザインシート。
【請求項７】
前記カード類の大きさに合うようにして前記カード類に接合された前記デザインシートが、前記カード類よりもひとまわり大きく形成されかつ前記カード類の大きさに合うように周囲がトリミングされている請求項５に記載のデザインシート。